(57)【要約】【課題】本発明はカラーテレビジョン受像機の映像信号処理に関し、各種のアスペクトの静止画像を文字ボケがおきないように輝度を調整し、高画質で表示する自動輝度制御装置を提供することを目的とする。【解決手段】静止画像データ情報読み取り手段と、静止画像が画面を占める割合を算出する手段と、静止画像が画面を占める割合にあわせてＡＢＬ電流を制御する手段とを備えた装置において、静止画像データよりアスペクト情報を読み取り、静止画像が画面を占める割合を算出し、その割合に応じてＡＢＬの値を制御する。【選択図】  図１
2004236270.tif 000002
【特許請求の範囲】
【請求項１】
静止画像のアスペクト情報を読み取るアスペクト情報読み取り手段と、陰極線管（ＣＲＴ）に流れるビーム電流を検出するビーム電流検出手段と、前記アスペクト情報読み取り手段より得た情報から静止画像が画面を占める割合を算出する演算手段と、前記演算手段と前記ビーム電流検出手段より得た信号からビーム電流を制御する信号を作る制御手段と、前記制御手段の結果から静止画像が画面を占める割合にあわせてＡＢＬ電流を制御する制御手段とを備えた自動輝度制御装置。
【請求項２】
演算手段は前記アスペクト情報読み取り手段より読み取ったアスペクトの静止画像をカラーテレビジョン受像機に表示した際に前記静止画像が画面を占める割合を算出することを特徴とする請求項１記載の自動輝度制御装置。
【請求項３】
画像データ記憶媒体、画像データ記憶機器によりカラーテレビジョン受像機の外部より入力された静止画像に対して、自動輝度制御を行うことを特徴とする請求項１記載の自動輝度制御装置。
【発明の詳細な説明】
【０００１】
【発明の属する技術分野】
本発明はカラーテレビジョン受像機の映像信号処理における自動輝度制御装置に関するものである。
【０００２】
【従来の技術】
従来の自動輝度制御装置としては、例えば特許文献１に記載されているようなものがあった。図６はこの従来の自動輝度制御装置の構成図を示すものであり、１は入力端子、２は信号処理回路、３はアンプ、４は陰極線管（ＣＲＴ）、５は電子銃、６は偏向回路、７は偏向ヨーク、８はフライバックトランス、９はダイオード、１０はアノード、１３、１４、１６は抵抗器、１５はＡＢＬ回路、１７は電圧源、１８はトランジスタ、１９は制御端子である。
【０００３】
以上のように構成された従来の自動輝度制御装置においては、入力端子１に供給された画像信号は信号処理回路２を通じてアンプ３に供給され、このアンプ３からの信号がＣＲＴ４の電子銃５に供給される。また信号処理回路２にて水平垂直の同期信号が分離され、偏向回路６で形成された偏向信号が偏向ヨーク７に供給される。さらにフライバックトランス８の２次コイルの一端に得られる高圧電圧がダイオード９を通じてアノード１０に供給される。これによって入力端子１に供給された、例えばシネマスコープサイズの画像信号による画像がレンズ１１を介してスクリーン１２上に投映される。
【０００４】
これと共に、例えばフライバックトランス８の２次コイルの他端が抵抗器１３を通じて接地され、この抵抗器１３から得られる電圧（負電圧）が抵抗器１４を介してＡＢＬ回路１５に供給される。そしてこのＡＢＬ回路１５で形成された制御信号がアンプ３の利得制御端子に供給される。
【０００５】
従ってこの回路において、例えば表示の輝度が上昇してアノード１０を流れる電流が増加すると、トランス８の２次コイルの他端の電位が負方向に増大し、この電位が所定値以上になるとＡＢＬ回路１５から制御信号が出力されてアンプ３の利得がさげられ、表示の輝度が低下されるようになっている。
【０００６】
さらにこの回路において、ＡＢＬ回路１５の入力端が抵抗器１６を介して負の電圧源１７に接続されると共に、この電圧源１７の両端間がスイッチ用のトランジスタ１８を介して接続され、偏向回路６の偏向幅を制御する制御端子１９がトランジスタ１８のベースに接続されている。
【０００７】
そこでこの回路において、例えばシネマスコープサイズの画像信号が供給され、偏向回路６で最大幅の偏向が行われている状態で、ＡＢＬ回路１５を動作させるべき輝度レベルでの２次コイルに流れる電流を３ｍＡとし、抵抗器１３の抵抗値を４．７ｋΩとすると、このときの２次コイルの他端Ａの電位は−１４．１Ｖとなる。それと共に抵抗器１４、１６の抵抗値を共に４７ｋΩとし、このときトランジスタ１８がオンされて抵抗器１６の他端Ｃが接地されるようにすると、ＡＢＬ回路１５の入力端Ｂの電位は−７Ｖとなる。この状態でＡＢＬ回路１５が動作するようにされる。
【０００８】
これに対して、通常のテレビ信号が供給されたときは、制御端子１９に信号を供給して偏向回路６での偏向幅が水平方向のみ１／１．７７になるようにされる。従ってこの状態においては、ＡＢＬ回路１５を動作させるべき輝度レベルでの２次コイルに流れる電流も１／１．７７の約１．７ｍＡになり、このときのＡ点の電位は−７．９Ｖとなる。そこでこの状態でＢ点の電位を−７ＶとするためにはＣ点の電位を−６．１Ｖとなるようにすればよく、すなわち電圧源１７の電圧を−６．１Ｖとしてトランジスタ１８がオフされるようにする。
【０００９】
従ってこの回路においてシネマスコープサイズのときは２次コイルに流れる電流が３ｍＡ以上でＡＢＬ回路１５がアンプ３の利得を下げるように動作し、また通常のテレビ信号のときは１．７ｍＡ以上でＡＢＬ回路１５がアンプ３の利得を下げるように動作して、それぞれの状態でＡＢＬを行うことができる。
【００１０】
またさらに電圧源１７の代わりに別の回路を用いる場合を図７に示す。図７において、２１は正規化された水平幅の信号が入力される端子、２２は正規化された垂直幅の信号が入力される端子、２３は乗算器、２４はバイアス回路である。図７に示すように端子２１、２２に供給されるそれぞれ正規化された水平及び垂直の偏向幅を乗算器２３で乗算し、この乗算値を任意のバイアス回路２４を介して上述の抵抗器１６の他端に供給する。これによって任意のアスペクト比の画像に対して、そのＡＢＬの制御を自動的に補正することができる。
【００１１】
【特許文献１】
特開平２−３１２４４２号公報
【００１２】
【発明が解決しようとする課題】
しかしながら前記のような従来の構成では、テレビジョン受像機の水平、垂直偏向アスペクトが一定で、受信する静止画像のアスペクトが変化する場合はＡＢＬ制御がうまく働かない。たとえば画面サイズが１６対９のカラーテレビジョン受像機で、アスペクト比が８対９の静止画像を表示する場合、画面の半分は映像信号が無い状態となるが、ＡＢＬ制御は一定であるために、明るい静止画像の場合平均２倍の電流密度となる場合がある。その場合電子銃のビーム電流が集中し、輝度が高くなりすぎるために、静止画像の細かい部分のつぶれや文字がぼけてしまうことがある。
【００１３】
本発明はかかる点に鑑み、各種のアスペクトの静止画像の細かい部分のつぶれや文字ボケがおきないように輝度を調整し、高画質で表示する自動輝度制御装置を提供することを目的とする。
【００１４】
【課題を解決するための手段】
本発明は静止画像のアスペクトデータ情報読み取り手段と、静止画像が画面を占める割合を算出する演算手段と、静止画像が画面を占める割合にあわせてＡＢＬ電流を制御する手段とを備えた装置において、静止画像データよりアスペクト情報を読み取り、静止画像が画面を占める割合を算出し、算出された割合に応じてＡＢＬの値を制御する。本構成によって、各種のアスペクトの静止画像の細かい部分のつぶれや文字ボケがおきないように輝度を調整し、高画質で表示することができる。
【００１５】
【発明の実施の形態】
以下本発明の実施の形態について、図面を参照しながら説明する。
図１は本発明の実施例における自動輝度制御装置のブロック図を示すものである。
【００１６】
図１において、３０はＣＲＴ、４０は映像信号のコントラスト、ブライトを制御する輝度制御回路、５０は輝度制御回路４０が出力する輝度制御された映像信号によってＣＲＴ３０を駆動する駆動回路、６０はＣＲＴに流れるビーム電流を検出するビーム電流検出回路、７０はカラーテレビジョン受像機へ入力された静止画像のアスペクト情報を読み取るアスペクト情報読み取り回路、８０はアスペクト情報読み取り回路７０より読み取られたアスペクト情報に基づいて入力された静止画像が表示画面を占める割合を算出する演算回路、９０は演算回路８０により演算された値とビーム電流検出回路６０の検出データにより輝度制御回路４０によって輝度制御を行うための制御信号を発生する制御回路である。
以上のように構成されたこの実施例の自動輝度制御装置について、以下その動作を説明する。
【００１７】
図２は演算回路と制御回路の処理を示したフローチャートである。図１と同一機能のものは、同一の数字で表している。まず、カラーテレビジョン受像機へ静止画像のデータおよび信号が入力された場合、アスペクト情報読み取り回路７０によって、静止画像のアスペクト情報が縦対横の画素数、Ｘ：Ｙで読み取られる。アスペクト情報読み取り回路７０によって読み取られたＸ：Ｙの情報は演算回路８０で演算される。ここでは映像表示領域が１６対９のカラーテレビジョン受像機を用いて、入力された静止画像を信号処理によってアスペクトを維持したまま縦方向か横方向へ画面いっぱいへ圧縮もしくは伸張を行って表示したとすると、演算回路８０ではまず、Ａ＝Ｘ×９÷Ｙという演算を行い、１６≧Ａの場合は静止画は表示画面に対してＡ対９で表示され、静止画が表示画面の中央へ表示されるとすると、図３に示すような表示画面の左右がブランク、映像信号なしとなって表示される。Ａ＞１６の場合は再度Ｂ＝Ｙ×１６÷Ｘという演算を行い、同様に静止画は表示画面に対して１６対Ｂで表示され、図４に示すような表示画面の上下がブランク、映像信号無しとなって表示される。そして、演算結果Ａ、またはＢを制御回路９０へ出力する
次に、ビーム電流検出回路６０ではＣＲＴへ流れる平均ビーム電流を電圧Ｃとして検出し、制御回路９０へ出力する。
【００１８】
制御回路９０ではビーム電流検出回路６０より検出された電圧Ｃと、演算回路８０によって演算された結果Ａ、またはＢによって再度演算を行い、その結果を制御信号として輝度制御回路４０へ出力する。演算回路８０の演算結果がＡの場合はＤ＝１６×Ｃ÷Ａという演算を行い、演算回路８０の演算結果がＢの場合はＤ＝９×Ｃ÷Ｂという演算を行い、その結果Ｄを輝度制御回路４０へ出力する。輝度制御回路４０では制御回路９０より入力された制御信号Ｄによって、静止画像の入力信号のコントラストを調整した信号を駆動回路へ出力する。
最大値に設定した平均ビーム電流（以下ＡＢＬ電流値という）がＣＲＴ３０に流れた場合にビーム電流検出回路６０より出力される電圧をＥとすると、平均ビーム電流値とビーム電流検出回路６０より出力される電圧は比例関係にある場合、制御回路９０より出力された結果Ｄより、Ｄ＞Ｅの場合はＤ＝Ｅとなるように静止画像の入力信号のコントラストとブライトが下げられ、輝度信号が制御される。
【００１９】
たとえばＡＢＬ電流値が２ｍＡに設定された表示画面が１６対９のカラーテレビジョン受像機へ通常の映像信号を表示画面全面に表示した場合、映像信号の平均輝度レベルが高くなったとしても、ＡＢＬ電流値は２ｍＡ以上は流れないように輝度制御回路によってコントラスト、ブライトを調整する。このときにビーム電流検出回路６０から出力された信号をＥとする。
【００２０】
次にたとえばサイズが１６００×１８００ピクセルで構成された平均輝度レベルが高い静止画像を入力した場合を図５により以下に説明する。図１と同一機能のものは、同一の数字で表している。まずアスペクト情報読み取り回路によって、Ｘ：Ｙ＝１６００：１８００という情報が読み取られる。その情報は演算回路８０で演算され、Ａ＝８という結果を得る。つまりここで入力された静止画のアスペクトは８対９となり、縦方向は表示画面いっぱいに表示され、横方向は表示画面の半分の領域となる。したがって、静止画像は表示画面の半分の面積を占めることになる。このときのビーム電流検出回路６０からの信号をＦとすると、制御回路９０によってＤ＝１６×Ｆ÷８という演算がされ、輝度制御回路４０にＤの値が入力される。Ｄ＞Ｅの場合はＤ＝Ｅとなるように輝度信号が制御される。つまり安定した状態ではＥ＝１６×Ｆ÷８より、Ｆ＝Ｅ／２となり、静止画像の表示領域がＣＲＴ表示画面の１／２のときは、ＣＲＴに流れる平均ビーム電流も１／２に制御される。
【００２１】
【発明の効果】
以上のように本発明によれば、各種のアスペクトの静止画像が入力された場合においても、ＡＢＬ制御が高精度に働くことにより、単位面積あたりの最大輝度は入力される静止画像のアスペクトにかかわらずに一定となり、輝度が上がりすぎることによる細かい部分のつぶれや、文字のボケが解消され、高画質な映像が表示できる。
【図面の簡単な説明】
【図１】本発明の実施例における自動輝度制御装置のブロック図
【図２】本発明の演算回路の動作を示したフローチャート
【図３】入力された静止画像の表示例を示す図
【図４】入力された静止画像の表示例を示す図
【図５】本発明の演算回路の実施例における動作を示したフローチャート
【図６】従来例における構成図
【図７】従来例におけるほかの例の構成図
【符号の説明】
３０  ＣＲＴ
４０  輝度制御回路
５０  駆動回路
６０  ビーム電流検出回路
７０  アスペクト情報読み取り回路
８０  演算回路
９０  制御回路
【図１】
2004236270.tif 000003
【図２】
2004236270.tif 000004
【図３】
2004236270.tif 000005
【図４】
2004236270.tif 000006
【図５】
2004236270.tif 000007
【図６】
2004236270.tif 000008
【図７】
2004236270.tif 000009